(57)【要約】      （修正有）【課題】喫煙者に心理的な自発的減煙あるいは禁煙意志に働きかける効果があるライターを提供する。【解決手段】喫煙するための道具であるライター自体にその目安となるその時現在の喫煙本数を表示する。喫煙者がこの数値を目にすることにより減煙意識が高まる。タール、ニコチンの表示まですれば、さらにその効果は高まる。さらに過去の数値が見れればその日、その日で比較が出来て吸いすぎかどうかの判断材料となる。【選択図】図２
0003148798.tif 000002
【実用新案登録請求の範囲】
【請求項１】
ライター本体にその日１日その時点までの「喫煙本数」、「タールの量」、「ニコチンの量」のそれぞれをいっぺんに液晶表示する窓を設け、それを見ることによって喫煙者が上記３項目を認識することが出来るようにしたことを特徴とするライター。「タールの量」、「ニコチンの量」は喫煙者が喫煙している煙草の種類により一本あたりの「タール量」、「ニコチン量」を自ら登録することにより、喫煙本数に乗じて表示する。この数量表示は午前３時になると自動的にクリアされて、全てのモード表示がゼロに戻る。
【請求項２】
請求項１に記したライターの表示窓の表示は、「喫煙本数」、「タールの量」、「ニコチンの量」ともに午前３時に自動的にクリアされ、表示上はゼロ表示に戻るが、７日間分の結果は記憶されていて、ライター本体の別の部分にメモリーボタンを設け、それを押す毎に押した日から１日前、２日前、３日前・・・と７日前までの結果が順番に表示窓に切替表示され、最後は７日間分の合計が表示されて、更にもう一度メモリーボタンを押すとその日その時点での「喫煙本数」、「タールの量」、「ニコチンの量」の表示に戻る。
【請求項３】
請求項１および２の機能を持つが表示方法を変えたライターで、表示窓に「喫煙本数」、「タールの量」、「ニコチンの量」のすべてを一度に並べて表示するのではなく、表示するモードをひとつにし、ライター本体の別の部分にモードボタンを設けて、それを押す毎にその日その時点での「喫煙本数」、「タールの量」、「ニコチンの量」が順番に表示されるライター。３つのうちのどれかひとつのモードの表示中、例えば喫煙本数表示中に、ライター本体の別の部分に設けたメモリーボタンを押すと、同一のモードの７日間前までの結果が順番に１日前の本数、２日前の本数、３日前の本数・・・と７日前まで表示され、最後に７日間の合計本数が表示される。更にもう一度メモリーボタンを押すとその日その時点での本数表示に戻る。
【請求項４】
請求項３の機能を持つライターから、「タールの量」および「ニコチンの量」は表示しない、「喫煙本数」のみを表示の対象とした、より簡素化されたライター。勿論、モードの切替は必要なく、モードボタンは付いていない。但し、午前３時毎に本数表示が自動クリアされることと、メモリーボタンを押すことで過去７日前までの夫々の日の１日の喫煙本数および７日間合計喫煙本数が順番に表示される機能は付いている。
【請求項５】
ライター本体にその日１日その時点までの「喫煙本数」のみを液晶表示する窓を設け、それを見ることによって喫煙者が「喫煙本数」を認識することが出来るようにしたことを特徴とするライター。この数量表示は午前３時になると自動的にクリアされて表示がゼロに戻る。請求項４のライターからメモリー機能およびメモリーボタンを無くしたもの。
【考案の詳細な説明】
【技術分野】
【０００１】    本考案は、「喫煙本数」、「タールの量」、「ニコチンの量」を表示する窓を設けたライターに関するものである。
【背景技術】
【０００２】  従来の喫煙者は、「その日１日に何本煙草を吸ったのか」という事は、頭の中で大体の本数を記憶しているか、あるいは全く気にしていないのが現状であった。吸った本数を正確に知ろうと思えば、喫煙する度に紙等にメモしておくか、厳密に記憶しておくしかなかった。ましてや喫煙する煙草の１本あたりの「タールの量」、「ニコチンの量」は気にしても、１日にどれだけの量を摂取しているかなどはあまり気にもかけていないのが現状であった。
【考案の開示】
【考案が解決しようとする課題】
【０００３】  煙草を吸うことは自らの身体の健康に害を及ぼすばかりでなく、副流煙によって回りの人間の健康にも害を及ぼすものであることは世界で認められている。この喫煙行為そのものを減らすことを目的とし、人類の健康への悪影響を解決しようとするものである。また、少なからずも喫煙行為を減らすことで、いわゆる「タバコのポイ捨て」および火事の原因にもなっている「タバコの火の不始末」を減らし、社会的悪影響の解決の一助とするものである。
【課題を解決するための手段】
【０００４】  喫煙者は「煙草を吸いすぎることは身体に害を及ぼす、良くないことだ」と知りながら喫煙しているのが現状である。そこで、ライターに１日にあるいは現在、自らが吸った「煙草の本数」、「タールの量」、「ニコチンの量」を数字で明確に表示させることによって、その認識を改めて強く持たせ、「今日は吸いすぎだからこれから喫煙するのは控えよう。」だとか、「今日は何本吸ったから、明日は何本に減らそう。」だとかいう喫煙量を減らしていく目安あるいは目標となるものを作る手段とする。
【考案の効果】
【０００５】  上述のように、ライターに「喫煙本数」、「タールの量」、「ニコチンの量」を明確に表示することにより、喫煙者に心理的な自発的減煙あるいは禁煙意志に働きかける効果がある。さらに、ライター自体が喫煙するときに必ず使う道具であり、喫煙の際に必ずその表示を見ることになる事も、更なる効果を期待することが出来る。
【考案を実施するための最良の形態】
【０００６】  キャップを起こして開けると着火口と着火レバーが現れる。着火レバーを下に「カチッ」と音がするまで押し下げると着火する。着火レバーから指を離すと着火レバーが自動的に元の位置に戻り消火する。消火を確認してキャップを閉める。炎の大きさの調節はライター底部にある炎調節ネジによって行う。炎調節ネジを＋方向（左回転）に回すとガス供給量が増加して炎は勢いを増し大きくなる。−方向（右回転）に回すとガス供給量が減少して炎は勢いが弱くなり小さくなる。またライター底部には燃料ガスの注入口があり、燃料ガスの注入は、ライターを逆さまにしてこの注入口にガスボンベの注入口を直接、接するように当ててガスボンベを２〜３秒間強く押し付ける操作を２〜３回繰り返すことで完了する。
ここまではどの請求項のライターも同様の形態である。
以下、請求項ごとに形態が異なる為、請求項毎に説明する。【０００７】「請求項１かつ請求項２のライター」
裏側面に「喫煙本数」、「タールの量」、「ニコチンの量」を並べて表示する液晶表示窓があり、その脇にモードボタン、メモリーボタンおよびリセットボタンが付いている。そして各々のボタンの上にはカバーが付いている。このカバーは当ライター使用者の意思に反してボタンが押されることを防止する為のものである。
モードボタンを２秒以上押し続けると「タール（ｍｇ）設定モード」になり、「００」が点滅する。メモリーボタンを押すと１ｍｇから１ｍｇずつ進み、リセットボタンを押すと押す度に（−）方向に１ｍｇずつ戻る。ここで喫煙者がいつも喫煙している煙草の１本当たりのタール量（ｍｇ）の数字になったら、モードボタンを押すとタールの量が設定され、同時に「ニコチン（ｍｇ）設定モード」に切換り、「０．０」が点滅する。メモリーボタンを押すと０．１ｍｇから０．１ｍｇずつ進み、リセットボタンを押すと押す度に（−）方向に０．１ｍｇずつ戻る。ここで喫煙者がいつも喫煙している煙草の１本当たりのニコチンの量（ｍｇ）の数字になったら、モードボタンを押すとニコチンの量が設定される。このタールとニコチンの量の設定は新たに設定し直さない限り永久に記憶される。
あとは普通に喫煙する為に、キャップをあける毎に、あるいは別の方法として着火レバーが下に「カチッ」と音がするまで押し下げられる毎に「喫煙本数」は１本、２本とカウントされ液晶窓に表示される。要するにキャップを開けた回数あるいは着火レバーが「カチッ」と音がするまで押し下げられた回数が喫煙本数となる。「タールの量」、「ニコチンの量」は前述の操作で設定した１本当たりの数値（ｍｇ）にこの喫煙本数を乗じた数値を表示する。
この表示された数値はすべて午前３時になると自動的にクリアされ、「喫煙本数」、「タールの量」、「ニコチンの量」の表示はすべてゼロとなる。そしてまたその時点からキャップを開ける毎に、あるいは着火レバーが「カチッ」と音がするまで押し下げられる毎に１からカウントして表示する。また、タールとニコチンの１本当たりの量の設定モード時以外に、リセットボタンを押しても同様に現在表示されている数値がクリアされ、「喫煙本数」、「タールの量」、「ニコチンの量」の表示はすべてゼロとなる。
しかしながら、午前３時で自動的にクリアされた時点での数値は７日間分記憶されており、タールとニコチンの１本当たりの量の設定モード時以外に、メモリーボタンを押すと、押す毎に押した日から１日前、２日前、３日前・・・と７日前までの結果が順番に表示窓に切替表示され、最後は７日間分の合計が表示されて、更にもう一度メモリーボタンを押すとその日現在の「喫煙本数」、「タールの量」、「ニコチンの量」の表示に戻る。また、どのモードおよびメモリー表示状態になっていても、１５秒間何もせずに放置すると自動的にその日その時点での表示に戻る。また、キャップを開けるか、あるいは着火レバーを「カチッ」と音がするまで押し下げたら、その１回をカウントすると共に、その日その時点の表示に戻る。【０００８】「請求項３のライター」
「請求項１かつ請求項２のライター」と異なるのは表示の仕方だけであり、側面の液晶表示窓には「喫煙本数」、「タールの量」、「ニコチンの量」のいずれかひとつを表示する型式になっており、モードボタンを押す毎にその日現在の「喫煙本数」、「タールの量」、「ニコチンの量」が順番に表示される。３つのうちのどれかひとつのモードの表示中、例えば喫煙本数表示中に、メモリーボタンを押すと、同一のモードの７日間前までの結果が順番に１日前の本数、２日前の本数、３日前の本数・・・と７日前まで表示され、最後に７日間の合計本数が表示される。更にもう一度メモリーボタンを押すとその日その時点の本数表示に戻る。１５秒間、何もせずに放置しておくと、自動的にその日その時点での「喫煙本数」表示に戻る事以外、その他の機能および設定の操作については「請求項１かつ請求項２のライター」と同様である。【０００９】「請求項４のライター」
ライター裏側面に「何日前か」を表示する液晶窓と「喫煙本数」のみを表示する液晶窓があり、その脇にメモリーボタンが付いている。喫煙するためにライターのキャップを開ける毎に、あるいは別の方法として着火レバーを下に「カチッ」音がするまで押し下げる毎に「喫煙本数」は１本、２本とカウントされ、窓に表示される。要するにキャップを開けた回数あるいは着火レバーが「カチッ」と音がするまで押し下げられた回数が喫煙本数となる。この表示された数値はすべて午前３時になると自動的にクリアされ、「喫煙本数」の表示はゼロとなる。そしてまたその時点からキャップを開ける毎に、あるいは着火レバーが「カチッ」と音がするまで押し下げられる毎に１からカウントして表示する。しかしながら、午前３時で自動的にクリアされた時点での数値は７日間分記憶されており、メモリーボタンを押すと、押す毎に押した日から１日前、２日前、３日前・・・と７日前までの結果が順番に表示窓に切替表示され、最後は７日間分の合計が表示されて、更にもう一度メモリーボタンを押すとその日その時点での「喫煙本数」の表示に戻る。また、メモリー表示状態になっていても、１５秒間、何もせずに放置しておくと自動的にその日その時点での本数表示に戻る。また、キャップを開けるか、あるいは着火レバーを「カチッ」と音がするまで押し下げたら、その時の１回をカウントすると共に、その日その時点での本数表示に戻る。【００１０】「請求項５のライター」
ライター側面に「喫煙本数」を表示する液晶窓があり、喫煙するためにライターのキャップを開ける度に、あるいは別の方法として着火レバーを下に「カチッ」と音がするまで押し下げる毎に「喫煙本数」は１本、２本とカウントされ、窓に表示される。要するにキャップを開けた回数あるいは着火レバーが「カチッ」と音がするまで押し下げられた回数が喫煙本数となる。この表示された数値はすべて午前３時になると自動的にクリアされ、「喫煙本数」の表示はゼロとなる。そしてまたその時点からキャップを開ける毎に、あるいは着火レバーが「カチッ」と音がするまで押し下げられる毎に１からカウントして表示する。
【図面の簡単な説明】
【００１１】
【図１】明細書０００７〜００１０考案の一実施形態を示す表面斜視図である。
【図２】明細書０００７考案の一実施形態を示す裏面斜視図である。
【図３】明細書０００８考案の一実施形態を示す裏面斜視図である。
【図４】明細書０００９考案の一実施形態を示す裏面斜視図である。
【図５】明細書００１０考案の一実施形態を示す裏面斜視図である。
【図６】明細書０００７〜００１０考案の一実施形態を示す底部図である。
【符号の説明】
【００１２】    １    キャップ
２    着火レバー
３    着火口
４    液晶表示窓
５    ボタンカバー
６    モードボタン
７    メモリーボタン
８    リセットボタン
９    燃料ガス注入口
１０  炎調節ネジ
１１  内部固定ネジ
【図１】
0003148798.tif 000003
【図２】
0003148798.tif 000004
【図３】
0003148798.tif 000005
【図４】
0003148798.tif 000006
【図５】
0003148798.tif 000007
【図６】
0003148798.tif 000008
【手続補正書】
【提出日】平成20年11月26日(2008.11.26)
【手続補正１】
【補正対象書類名】実用新案登録請求の範囲
【補正対象項目名】全文
【補正方法】変更
【補正の内容】
【実用新案登録請求の範囲】
【請求項１】
ライター本体にその日１日その時点までの「喫煙本数」、「タールの量」、「ニコチンの量」のそれぞれをいっぺんに液晶表示する窓を設けたことと、その脇に、それらを操作することで、１日前から７日前までの各々１日間の、あるいは７日間合計の「喫煙本数」、「タールの量」、「ニコチンの量」がわかるモードボタン、メモリーボタン、リセットボタンを付け、「何日前か」を液晶表示する窓を設けたことを特徴とするライター。
【請求項２】
ライター本体に「何日前か」という液晶表示窓と、液晶表示窓の下に設けられたモードボタン、メモリーボタン、リセットボタンのうちのモードボタンを押す毎に、その日１日その時点までの「喫煙本数」、「タールの量」、「ニコチンの量」が順番に切り替え表示される液晶表示窓を設けたことを特徴とするライター。
【請求項３】
ライター本体に「何日前か」という液晶表示窓と、液晶表示窓の脇につけられたメモリーボタンを押す毎に、その日１日その時点までの「喫煙本数」、１日前から７日前までの各々１日間の「喫煙本数」、および７日間合計の「喫煙本数」が順番に切り替え表示される液晶表示窓を設けたことを特徴とするライター。
【請求項４】
ライター本体にその日１日その時点までの「喫煙本数」を液晶表示する窓を設けたことを特徴とするライター。
【手続補正２】
【補正対象書類名】明細書
【補正対象項目名】０００７
【補正方法】変更
【補正の内容】
【０００７】「請求項１のライター」
裏側面に「喫煙本数」、「タールの量」、「ニコチンの量」を並べて表示する液晶表示窓があり、その脇にモードボタン、メモリーボタンおよびリセットボタンが付いている。そして各々のボタンの上にはカバーが付いている。このカバーは当ライター使用者の意思に反してボタンが押されることを防止する為のものである。
モードボタンを２秒以上押し続けると「タール（ｍｇ）設定モード」になり、「００」が点滅する。メモリーボタンを押すと１ｍｇから１ｍｇずつ進み、リセットボタンを押すと押す度に（−）方向に１ｍｇずつ戻る。ここで喫煙者がいつも喫煙している煙草の１本当たりのタール量（ｍｇ）の数字になったら、モードボタンを押すとタールの量が設定され、同時に「ニコチン（ｍｇ）設定モード」に切換り、「０．０」が点滅する。メモリーボタンを押すと０．１ｍｇから０．１ｍｇずつ進み、リセットボタンを押すと押す度に（−）方向に０．１ｍｇずつ戻る。ここで喫煙者がいつも喫煙している煙草の１本当たりのニコチンの量（ｍｇ）の数字になったら、モードボタンを押すとニコチンの量が設定される。このタールとニコチンの量の設定は新たに設定し直さない限り永久に記憶される。
あとは普通に喫煙する為に、キャップをあける毎に、あるいは別の方法として着火レバーが下に「カチッ」と音がするまで押し下げられる毎に「喫煙本数」は１本、２本とカウントされ液晶窓に表示される。要するにキャップを開けた回数あるいは着火レバーが「カチッ」と音がするまで押し下げられた回数が喫煙本数となる。「タールの量」、「ニコチンの量」は前述の操作で設定した１本当たりの数値（ｍｇ）にこの喫煙本数を乗じた数値を表示する。
この表示された数値はすべて午前３時になると自動的にクリアされ、「喫煙本数」、「タールの量」、「ニコチンの量」の表示はすべてゼロとなる。そしてまたその時点からキャップを開ける毎に、あるいは着火レバーが「カチッ」と音がするまで押し下げられる毎に１からカウントして表示する。また、タールとニコチンの１本当たりの量の設定モード時以外に、リセットボタンを押しても同様に現在表示されている数値がクリアされ、「喫煙本数」、「タールの量」、「ニコチンの量」の表示はすべてゼロとなる。
しかしながら、午前３時で自動的にクリアされた時点での数値は７日間分記憶されており、タールとニコチンの１本当たりの量の設定モード時以外に、メモリーボタンを押すと、押す毎に押した日から１日前、２日前、３日前・・・と７日前までの結果が順番に液晶表示窓に切替表示され、最後は７日間分の合計が表示されて、更にもう一度メモリーボタンを押すとその日現在の「喫煙本数」、「タールの量」、「ニコチンの量」の表示に戻る。また、どのモードおよびメモリー表示状態になっていても、１５秒間何もせずに放置すると自動的にその日その時点での表示に戻る。また、キャップを開けるか、あるいは着火レバーを「カチッ」と音がするまで押し下げたら、その１回をカウントすると共に、その日その時点の表示に戻る。
【手続補正３】
【補正対象書類名】明細書
【補正対象項目名】０００８
【補正方法】変更
【補正の内容】
【０００８】「請求項２のライター」
「請求項１のライター」と異なるのは表示の仕方だけであり、側面の液晶表示窓には「喫煙本数」、「タールの量」、「ニコチンの量」のいずれかひとつを表示する型式になっており、モードボタンを押す毎にその日現在の「喫煙本数」、「タールの量」、「ニコチンの量」が順番に表示される。３つのうちのどれかひとつのモードの表示中、例えば喫煙本数表示中に、メモリーボタンを押すと、同一のモードの７日間前までの結果が順番に１日前の本数、２日前の本数、３日前の本数・・・と７日前まで表示され、最後に７日間の合計本数が表示される。更にもう一度メモリーボタンを押すとその日その時点の本数表示に戻る。１５秒間、何もせずに放置しておくと、自動的にその日その時点での「喫煙本数」表示に戻る事以外、その他の機能および設定の操作については「請求項１のライター」と同様である。
【手続補正４】
【補正対象書類名】明細書
【補正対象項目名】０００９
【補正方法】変更
【補正の内容】
【０００９】「請求項３のライター」
ライター裏側面に「何日前か」を表示する液晶表示窓と「喫煙本数」のみを表示する液晶表示窓があり、その脇にメモリーボタンが付いている。喫煙するためにライターのキャップを開ける毎に、あるいは別の方法として着火レバーを下に「カチッ」音がするまで押し下げる毎に「喫煙本数」は１本、２本とカウントされ、液晶表示窓に表示される。要するにキャップを開けた回数あるいは着火レバーが「カチッ」と音がするまで押し下げられた回数が喫煙本数となる。この表示された数値はすべて午前３時になると自動的にクリアされ、「喫煙本数」の表示はゼロとなる。そしてまたその時点からキャップを開ける毎に、あるいは着火レバーが「カチッ」と音がするまで押し下げられる毎に１からカウントして表示する。しかしながら、午前３時で自動的にクリアされた時点での数値は７日間分記憶されており、メモリーボタンを押すと、押す毎に押した日から１日前、２日前、３日前・・・と７日前までの結果が順番に表示窓に切替表示され、最後は７日間分の合計が表示されて、更にもう一度メモリーボタンを押すとその日その時点での「喫煙本数」の表示に戻る。また、メモリー表示状態になっていても、１５秒間、何もせずに放置しておくと自動的にその日その時点での本数表示に戻る。また、キャップを開けるか、あるいは着火レバーを「カチッ」と音がするまで押し下げたら、その時の１回をカウントすると共に、その日その時点での本数表示に戻る。
【手続補正５】
【補正対象書類名】明細書
【補正対象項目名】００１０
【補正方法】変更
【補正の内容】
【００１０】「請求項４のライター」
ライター側面に「喫煙本数」を表示する液晶表示窓があり、喫煙するためにライターのキャップを開ける度に、あるいは別の方法として着火レバーを下に「カチッ」と音がするまで押し下げる毎に「喫煙本数」は１本、２本とカウントされ、液晶表示窓に表示される。要するにキャップを開けた回数あるいは着火レバーが「カチッ」と音がするまで押し下げられた回数が喫煙本数となる。この表示された数値はすべて午前３時になると自動的にクリアされ、「喫煙本数」の表示はゼロとなる。そしてまたその時点からキャップを開ける毎に、あるいは着火レバーが「カチッ」と音がするまで押し下げられる毎に１からカウントして表示する。